(57)【要約】【課題】  メディア（印刷されたインクも含む）を無駄に廃却することをなくし、環境問題を少しでも改善するものである。【解決手段】  ホストＰＣから入力された印刷情報を記録すると同時にイメージリーダー部で記録結果を読み出しその両者の比較結果によって再印刷を実行するかをホストＰＣに知らせ、再印刷が必要と判断されたときには先に記録した記録紙を再度、記録装置にセットし扱い者によりホストＰＣから再印刷の指示がされたときに先の記録紙の印刷情報を読み取りその結果と印刷元情報とを比較し不足分のみ再度印刷するようにした記録システムであり印刷メディアを無駄にしない。【選択図】  図１
2005138290.tif 000002
【特許請求の範囲】
【請求項１】
ホスト装置から印刷データを受信し印刷を実行する印刷機器において印刷ヘッドと直角に移動する紙送り方向に対して同じ位置に印刷ヘッドと同じ解像度のイメージリーダー部を設けホストから入力される印刷情報と記録メディアからイメージリーダーにより読み出した情報と比較し異なった場合、異なる情報量を印刷解像度単位でカウントし、そのカウント値が一定値以上になった場合印刷が完成していないことをホストコンピュータに知らせ、再度印刷を促すように構成した記録システム。
【請求項２】
ホスト装置から印刷データを受信し印刷を実行する印刷機器において印刷ヘッドと直角に移動する紙送り方向に対して同じ位置に印刷ヘッドと同じ解像度のイメージリーダー部を設けホストから入力される印刷情報と記録メディアからイメージリーダーにより読み出した情報と比較し単位面積あたりの違いが一定量異常の場合印刷が完成していないことをホストコンピュータに知らせ、再度印刷を促すように構成した記録システム。
【請求項３】
請求項１及び請求項２の記録システムで記録装置から記録が完成していない旨の再印刷指定が通知されたときに、その旨を扱い者に通知しその後の動作を扱い者の操作にゆだねるよう構成した記録システムであり、扱い者が再印刷を支持した場合にはその旨をホストＰＣから記録装置側に送り記録装置側では、再印刷情報を受け取ると印刷された記録紙を読み込みその結果とホストＰＣから送られる印刷常用と比較し印刷情報に存在しているが記録メディアに無い情報のみを選択し記録するように構成した記録システム。
【発明の詳細な説明】
【技術分野】
【０００１】
本発明は、記録システムの再印刷に関するものであり、印刷とほぼ同時に印刷結果を確認し印刷が不完全の場合にホストＰＣに通知しその通知により、一度印刷を実行したメディアを再度記録装置にて印刷を実行する装置。再印刷の場合は、記録装置内の読み取り部で印刷結果を読み取り、その結果とホストＰＣからの印刷データとを比較し記録メディアに不足分の印刷情報のみ同メディアに記録するようにしたものであり、インク切れや偶然に発生するインクの不吐出等で途中まで印刷された記録メディアを廃棄するのではなく再利用を図るものである。
【背景技術】
【０００２】
従来、インク無しなどによる未印字部分については再印字処理などの動作は実行しておらず。印刷メディアを廃棄処分にしていた。
【０００３】
このような技術課題に対して、特許文献１には、１ページの画像記録後に記録紙の端部にチェック用のパターンを記録し、このパターンの濃度を読み取ることで正常な記録が行えたかどうかを判断する構成が開示されている。この特許文献１によれば、パターンの濃度が薄くなった場合に、そのページの印字途中でインクが無くなったとして正常に記録が行われていないとし、そのページのデータをメモリに保持するようにしたファクシミリが開示されている。しかしながら、この構成では、正常に記録が行えなかった分の画像については別の印刷メディアに記録を行う必要があり、ページ途中で印字がかすれてしまった印刷メディアについては廃棄することとなる。
【０００４】
また、特許文献２には、ズジ、ムラの少ない画像を記録することを目的として、記録した画像を読み取り、本体記録すべきデータとの比較を行う構成が開示されている。
【特許文献１】特開平７−１２５２５５号公報
【特許文献２】特開２００３−２００５６２号公報
【発明の開示】
【発明が解決しようとする課題】
【０００５】
本発明は、上述のようなメディア（印刷されたインクも含む）を無駄に廃却することをなくし、環境問題を少しでも改善するものである。
【課題を解決するための手段】
【０００６】
記録装置内の記録部の近傍にイメージリーダ部を取り付ける事によって、再印刷指定により給送された記録紙メディアの印刷情報を読み取って得られた概印刷情報とホストＰＣから送られた印刷情報とを比較し、概記録情報に無い部分のみを印刷情報として記録部に送り印刷を実行する様構成した記録装置を持つ記録システム。
【発明の効果】
【０００７】
以上説明したように、本発明に係る第１の発明によれば、通常印刷時に印刷と印刷結果をイメージリーダにより読み出し比較することにより印刷ミスを扱い者にホストＰＣを介して通知し、再度その記録紙に既に印刷された文を除いて再度印刷することにより従来まで廃却したい印刷未完成記録を再利用し正確に印刷されることが可能となった。
【発明を実施するための最良の形態】
【０００８】
以下に実施例を説明する。
【実施例１】
【０００９】
図１は、本発明の動作概要を表すフローチャートである。
【００１０】
また、図２は記録システムの基本構成図、図３は印刷と読み取りまわりの基本構成、図４は本発明の実施イメージである。本発明は、インクジェットプリンタシステムでインクの残量を検出できない又は、インクの不吐出を検出できない機器に有効に動作する。
以下、図１から図４を例にとり詳細な説明をする。
【００１１】
本発明は，インクジェットプリンタのみではなく他のプリント方式のプリンタでも良いことは言うまでもない。
【００１２】
図２において、２０２０は記録装置であり、外部に接続された２０１０のホストＰＣから供給される印刷情報（文字コードやイメージ情報等）やフォーム情報あるいは再命令等を入力して記憶するとともに、それらの情報にしたがって対応する文字パターンや再印刷用の印刷パターン等を作成し、記録媒体である記録紙等に画像を形成する。
【００１３】
２０２２は操作パネルで、操作のためのスイッチおよびＬＥＤ表示器等が配されている。２０２３はプリンタ制御ユニットで、インクジェットプリンタ本体２０２０全体の制御およびホストコンピュータから供給される文字情報を解析する。このプリンタ制御ユニット２０２３は、主に文字情報は文字パターンに変換しイメージデータは解像度変換処理などを経た後に記録部２０２６に出力する。
【００１４】
記録部２０２６は回路で、主制御部から渡される印刷データを記録メディアに記録する。
【００１５】
２０２４記憶部では、主制御部の動作をつかさどる情報を記憶している、また文字情報などの記憶しており文字情報が入力されると記憶部から文字のイメージ情報を読み出２０２６の記録部に転送する。また、２０２４の記憶部は，２０１０のホストＰＣから２０２１のインタフェース部を通して一時的に印刷データを記憶する機能も持っている。また、２０２６の印刷部が印刷を実行しているときに平行して２０２７の読み取り部を動作させ印刷した記録情報を読み取り記憶部に一時的に格納して印刷データと比較する。
【００１６】
図３は簡単なメカ構成であり、３００１ａと３００１ｂは、記録メディアでありそれぞれ印刷時と再印刷時に対応している。３００２は、印刷用の印字ヘッドであり印刷時に使用する。３００３は印刷結果などを読み取るためのイメージセンサであり、３００２記録ヘッドと３００３イメージセンサは図示しないキャリッジ上に載っており同時に移動する。
【００１７】
図４は、本発明のイメージ図であり図１のフローと合わせて詳細な説明を行う。
【００１８】
２０１０のホストＰＣから印刷命令が２０２０の記録装置に入力されると図１のＳ１００１に移行して再印刷か否かの判断を実行する。通常は再印刷ではないのでＳ１００２に移行して印刷不良Ｆｌａｇをゼロにクリアする。また、印字不正カウンタＮも同時にクリアする。その後Ｓ１００３に移行して１バンド分の印刷を実行する。この印刷処理に伴いキャリッジ上に取り付けられている印字用ヘッドとイメージ読み取り用のイメージセンサが同時に移動する。この時、イメージセンサの情報も同時に取り込みその結果を２０２３主制御部を通して２０２４記憶部に一時記憶しておく。その後Ｓ１００４に移行して印刷不良Ｆｌａｇの状態を確認してフラグが１であればＳ１０１０に移行する。Ｓ１００５では、Ｓ１００３と同時に実行していた１バンド分の印刷情報の読み取りを行う（１バンド分のデータは、イメージリーダ部に蓄え、１バンド印刷終了後に２０２４記憶部に転送する）。Ｓ１００６では、印刷データと読み取った記録データとを比較し同一であれば、Ｓ１００８へ移行する。異なっていた場合はＳ１００７へ移行してカウンタＮに異なったドット数を加算する。Ｓ１００８では、印刷不良カウンタＮの値を確認して一定値以下であれば印刷データには問題無しとしてＳ１０１０に移行する（この一定値の値は、一義的に決まるものではなく、印刷する情報により変わるものである。たとえば、小さい文字を印刷する時と大きい文字を印刷する時とでは判断基準を変える必要がある。そのため、大まかに言えば印刷文字の約半分程度の欠けがあった場合を想定したほうがより問題の無い画像を得ることが出来る）。一方印刷不良カウンタＮが一定値を超えるとこのメデイアの情報は不良と判断するために印刷不良Ｆｌａｇを設定＝１とする。Ｓ１０１０では、１ページ分の印刷が終了しているか否かの判断をし、印刷途中であればＳ１００３に移行して印刷を継続する。一方１ページ印刷終了であれば、Ｓ１０１１へ移行して、印刷不良Ｆｌａｇを確認する。印刷不良Ｆｌａｇが設定されていなければ終了とし正常に印刷が実施された事を示す。一方、印刷不良Ｆｌａｇが設定されていた場合には、このメディアの印刷結果と印刷情報の誤差が大きいため再度印刷を促すためホストに印字不良であることを通知する。
【００１９】
Ｓ１００１で再印刷の設定がホストからされた場合には、Ｓ１０１３へ移行して扱い者により記録紙貯蔵部に再設置された記録済み記録紙（図４の実印刷データ）を給紙し、１バンド分の情報を２０２７読み取り部のみを起動し前回の印刷データ（図４の実印刷データ）を読み出す。その後、２０１０のホストＰＣから送られた１バンド分の印刷データ（図４の印刷元データ）を読み取る。その後Ｓ１０１５に移行して印刷済みのデータと印刷データとを比較する。その結果が同一であれば、Ｓ１０１７へ移行する。比較した情報が異なる場合には、ホストからの情報から印刷された情報を除いた分（図４差分データ）のみ印刷を実行する（図４最終印刷結果）。その後、Ｓ１０１７に移行して、１ページの終了か否かを判断する。１ページの終了であれば、終了しそうでない場合には、Ｓ１００１３に移行して上記動作を繰り返す。
【実施例２】
【００２０】
第２の実施例は、第一の実施例の不良判定処理（Ｓ１００６〜Ｓ１０１０までの処理）の違いであるので、異なる部分（図５の破線部分）の説明をする。
【００２１】
Ｓ５００５では、Ｓ５００３と同時に実行していた１バンド分の印刷情報の読み取りを行う（１バンド分のデータは、イメージリーダ部に蓄え、１バンド印刷終了後に２０２４記憶部に転送する）。Ｓ５００６では、印刷データと読み取った記録データとを比較し同一であれば、Ｓ５０１０へ移行する。異なっていた場合はＳ５００８へ移行して、単位面積中の誤差率が一定値以下であれば印刷データには問題無しとしてＳ５０１０に移行する（この誤差率の値は、一義的に決まるものではなく、印刷する情報により変わるものである。たとえば、小さい文字を印刷する時と大きい文字を印刷する時とでは判断基準を変える必要がある。そのため、大まかに言えば印刷文字の約半分程度の欠けがあった場合を想定したほうがより問題の無い画像を得ることが出来る）。一方、単位面積中の誤差率が多きい場合このメデイアの印刷情報は不良と判断するために印刷不良Ｆｌａｇを設定＝１とする。その後Ｓ５０１０では、１ページ分の印刷が終了しているか否かの判断をし、印刷途中であればＳ５００３に移行して印刷を継続する。一方１ページ印刷終了であれば、Ｓ５０１１へ移行して、印刷不良Ｆｌａｇを確認する。
【図面の簡単な説明】
【００２２】
【図１】本発明の動作概要を表すフローチャートである。
【図２】記録システムの基本構成図である。
【図３】実際の動作をあらわしたものでａ）通常記録時は、通常の印刷をしてその結果文字列の一部がインク切れや不吐出によりかすれた状態を表している。ｂ）再記録時は、本発明を実施し、崎に記録した記録紙に再印刷を実行して、印刷元データと同じ印刷結果を得た図である。
【図４】本発明をイメージで示したものであり本発明の特徴を表している。
【図５】本発明の第二の実施例である。
【図１】
2005138290.tif 000003
【図２】
2005138290.tif 000004
【図３】
2005138290.tif 000005
【図４】
2005138290.tif 000006
【図５】
2005138290.tif 000007